(57)【要約】      （修正有）【課題】怪我をする危険が少ないキャップ付きフレームと、枠材用キャップを提供する。【解決手段】四本の枠材２で構成された四角形の中空枠であり、四本の枠材２が個別に外側に開くことも元の状態に起立させるように連結具３に開閉可能に取り付けられ、少なくとも一本の枠材２を外側に開くとその開いた箇所から他の枠材２の嵌合溝４内に展示物の周縁部を差し込むことができ、枠材２を内側に起こすと展示物を四本の枠材２の内側に内装することができるフレーム１であり、各々の枠材２は、連結具３に取り付けて四角形にしてもコーナーを構成する二本の枠材２の軸方向両端部同士が接合しない短寸であり、四本の枠材２の軸方向両端に樹脂製のキャップ８が取り付けられ、このキャップ８は枠材２を起立させて四角形の中空枠にすると、当該キャップ８の先端面が隣接する他の枠材に取り付けられているキャップ８の先端面と接合して中空枠のコーナーを形成する。【選択図】図１
2014042580.tif 000002
【特許請求の範囲】
【請求項１】
四本の枠材で構成された四角形の中空枠であり、四本の枠材が個別に外側に開くことも、開いた状態から元の状態まで起立させることもできるように連結具に開閉可能に取り付けられ、各々の枠材は前記連結具に開閉可能に嵌合できる嵌合溝と、展示物を差し込み可能な差し込み溝と、差し込み溝内に差し込まれた展示物を支持できる支持部を備え、少なくとも一本の枠材を外側に開くと、開いた箇所から他の枠材の差し込み溝内に展示物の周縁部を差し込むことができ、差し込み後に、外側に開いている枠材を内側に閉じると展示物を四本の枠材の内側に内装することができるフレームであり、
各々の枠材は、前記連結具に取り付けて四角形にしても、中空枠のコーナーを構成する二本の枠材の軸方向両端部同士が接合せず、コーナーを形成できない長さであり、
四本の枠材の各々の軸方向両端に、枠材の軸方向端部となる樹脂製のキャップが取り付けられ、
当該キャップは枠材を起立させて四角形の中空枠にすると、当該キャップの先端面が隣接する他の枠材に取り付けられているキャップの先端面と接合して中空枠のコーナーを形成できるようにしたこと、
を特徴とするキャップ付きフレーム。
【請求項２】
請求項１記載のキャップ付きフレームにおいて、キャップが、枠材の軸方向端部となるキャップ本体と、キャップ本体から突設された一又は二以上の嵌合片を備え、二以上の嵌合片の場合はそれらが同じ方向に突設され、嵌合片が一つの場合はそれが枠材の溝内に嵌め込まれて枠材に一連に取り付けられ、二以上の場合は夫々の嵌合片が枠材の異なる二以上の溝内に嵌め込まれて枠材に一連に取り付けられていること、
を特徴とするキャップ付きフレーム。
【請求項３】
請求項１又は請求項２記載のキャップ付きフレームにおいて、
枠体に係止凹部が設けられ、
キャップに係止突起が設けられ、
前記係止突起が前記係止凹部に係止されて、枠体に取付けられたキャップが枠体から不用意に外れないようにしたこと、
を特徴とするキャップ付きフレーム。
【請求項４】
展示物を内装できる四角形の中空枠のフレームを形成する四本の枠材の各々の軸方向端部に取付け可能なキャップにおいて、
前記キャップは枠材の軸方向端部を構成するキャップ本体と、キャップ本体から同じ方向に突設された一又は二以上の嵌合片とが樹脂で一体成型され、
前記キャップ本体はその先端に、コーナーを形成する他の枠材に取付けたキャップの接合面と接合する接合面を備え、前記嵌合片を枠材の溝に嵌め込んで枠材に取付け可能であり、枠材の軸方向端部に取付けたキャップ本体の前記接合面は、枠材を起立させると、隣接する他の枠材に取り付けられているキャップの接合面と接合して中空枠のコーナーを形成でき、
前記キャップ本体は、嵌合片を枠材の溝に嵌め込んで枠材に取付け可能であること、
を特徴とする枠材用キャップ。
【請求項５】
請求項４記載の枠材用キャップにおいて、
枠材の係止凹部に係止できる係止突起を備えたこと、
を特徴とする枠材用キャップ。
【請求項６】
請求項４又は請求項５記載の枠材用キャップにおいて、
枠材の溝への嵌合片の差し込み長を規制するストッパを備えたこと、
を特徴とする枠材用キャップ。
【発明の詳細な説明】
【技術分野】
【０００１】
本発明は絵画、写真、ポスター等の展示物を額装することのできるキャップ付きフレームと、フレームの四周の枠材の軸方向端部に取付け可能なキャップに関する。
【背景技術】
【０００２】
絵画、写真等を飾るフレーム（額縁）には、従来から、各種形状、構造のものがある。その一つとして、本件出願人が先に出願したフレーム（特許文献１）がある。このフレームは従来からのフレームと同様に壁や支柱等に係止したり吊下げたりすることができる他、本件発明者が先に開発した立体展示装置に係止することもできる。
【０００３】
特許文献１のフレームＡは、図８に示すように、四つのコーナーの連結具Ｂに細長棒状の四本の枠材Ｃが嵌合されて四角形の中空枠に形成されており、いずれか一本の枠材Ｃ又は中空枠のコーナーを形成する二本の枠材(隣接する枠材)Ｃを、図７（ｂ）に示すように外側に開く（倒す）と、それら枠材Ｂの内側に絵や写真等の展示物Ｄを差し込んで枠材Ｃの受縁Ｅにのせることができ、外側に倒れていた枠材Ｃを図７（ｃ）に示すように内側に閉じる（起こす）と、展示物Ｄが枠材Ｂの支持溝Ｆ内にセット（内装）できるようにしてある。
【０００４】
特許文献１のフレームは枠材Ｃの開閉により展示物Ｄを手軽に出し入れでき、従来の額のように裏板を取外したり付け直したりする面倒がないという利点がある。しかし、枠材Ｃは金属製（アルミ製）であり、図８に示すように、各々の枠材Ｃの軸方向両端の角部Ｇが鋭角になっているため、展示物Ｄを出し入れするために枠材Ｃを図８のように外側に開くと、鋭角である角部Ｇが上向きになり、それに作業者の手や指が当たると怪我をする危険があった。
【先行技術文献】
【特許文献】
【０００５】
【特許文献１】特開平９−１６４０４８号公報
【発明の概要】
【発明が解決しようとする課題】
【０００６】
本発明の解決課題は、怪我の危険が殆どないキャップ付きフレームと、枠材の軸方向端部に取付け可能な枠材用キャップを提供することにある。
【課題を解決するための手段】
【０００７】
（キャップ付きフレーム）
本発明のキャップ付きフレームは、四本の枠材で構成された四角形の中空枠であり、四本の枠材が個別に外側に開く（倒す）ことも、開いた（倒れた）状態から元の状態まで起立させることもできるように連結具に開閉可能に取り付けられ、各々の枠材は前記連結具に開閉可能に嵌合できる嵌合溝と、展示物を差し込み可能な差し込み溝と、差し込み溝内に差し込まれた展示物を支持できる支持部を備え、少なくとも一本の枠材を外側に開くと、開いた箇所（開口部）から他の枠材の差し込み溝内に展示物の周縁部を差し込むことができ、差し込み後に、外側に開いている枠材を内側に閉じると展示物を四本の枠材の内側に内装することができるフレームであり、各々の枠材は、前記連結具に取り付けて四角形にしても、中空枠のコーナー（角部）を構成する（隣接する）二本の枠材の軸方向両端部同士が接合せず、コーナーを形成できない長さ（短寸）であり、四本の枠材の各々の軸方向両端に、枠材の軸方向端部となる（端部を構成する）樹脂製のキャップが取り付けられ、当該キャップは枠材を起立させて四角形の中空枠にすると、当該キャップの先端面（接合面）が隣接する他の枠材に取り付けられているキャップの先端面（接合面）と接合して中空枠のコーナーを形成できるようにしてある。
【０００８】
前記キャップは、枠材の軸方向端部となるキャップ本体と、キャップ本体から突設された一又は二以上の嵌合片を備えたものである。二以上の嵌合片の場合はそれらを同じ方向に突設する。嵌合片が一つの場合はそれを枠材の溝内に嵌め込まれて枠材に一連に取り付けられ、二以上の場合は夫々の嵌合片が枠材の異なる二以上の溝内に嵌め込まれて枠材に一連に取り付けられている。
【０００９】
本発明のキャップ付きフレームは、枠体に係止凹部が設けられ、キャップに係止突起が設けられ、前記係止突起が前記係止凹部に係止されて、枠体に取付けられたキャップが枠体から不用意に外れないようにしてある。
【００１０】
（枠材用キャップ）
本発明の枠材用キャップは、展示物を内装できる四角形の中空枠のフレームを形成する四本の枠材の各々の軸方向端部に取付けるキャップであり、前記キャップは、枠材の軸方向端部を構成するキャップ本体と、キャップ本体から同じ方向に突設された一又は二以上の嵌合片が樹脂で一体成型され、前記キャップ本体はその先端に、コーナーを形成する他の枠材に取付けたキャップの接合面と接合する接合面を備え、前記嵌合片を枠材の溝に嵌め込んで枠材に取付け可能であり、枠材の軸方向端部に取付けたキャップ本体の前記接合面は、枠材を起立させると、隣接する他の枠材に取り付けられているキャップの接合面と接合して中空枠のコーナーを形成でき、前記キャップ本体は、嵌合片を枠材の溝に嵌め込んで枠材に取付け可能である。
【００１１】
前記キャップには枠材の係止凹部に係止できる係止突起を備えることができる。
【００１２】
前記キャップには枠材の溝への嵌合片の差し込み長を規制するストッパを備えることができる。
【発明の効果】
【００１３】
本発明のキャップ付きフレームは次のような効果がある。
（１）四本の枠材の軸方向両端に樹脂製のキャップが取り付けられているので、キャップの接合面の先端角部に指や手が触れても怪我をする危険が少ない。
（２）キャップが枠材の軸方向端部を構成するので、枠材がコーナーを形成できない短寸であっても、二本の枠材に取付けられたキャップでコーナーを形成することができる。
（３）キャップが枠材の軸方向端部を構成するので、キャップの色や形状を枠材の色や形状と異なるものにするとか、花、動物、食品、その他の所望形状にすることにより、フレームのコーナー部分に特徴（アクセント、ポイント、立体装飾等）を持たせることができ、これまでのフレームには存在しなかった斬新なデザインのフレームにとなる。
（４）嵌合片が枠材の溝内に嵌め込まれているので、キャップが枠材と位置ずれことなく一列（一連）に取付けられる。
（５）枠材の係止凹部にキャップの係止突起を係止すれば、キャップの不用意な抜けが防止される。
【００１４】
本発明の枠材用キャップは次のような効果がある。
（１）樹脂製であるため枠材の軸方向端部に取り付けても、金属製に比して怪我をする危険が少ない。
（２）キャップ本体が枠材の軸方向端部を構成するので、キャップ本体を所望形状、デザインにして、フレームのコーナーに変化を持たせることができる。
（３）キャップ本体の先端面を、コーナーを構成する他の枠材に取り付けたキャップの先端面と接合する接合面としたので、コーナーを構成する二つの枠材のキャップの接合面同士が隙間なく接合される。
（４）キャップ本体が一又は二以上の嵌合片を備えているので、それら嵌合片を枠材の溝に嵌め込むことにより、キャップを枠材と一列に位置ずれすることなく取付けることができる。
（５）キャップの係止突起を枠材の係止凹部に係止すれば、キャップが枠材から不用意に外れることがない。
（６）キャップがストッパを有するため、枠材の溝内への嵌合片の差し込み長を一定にし易い。
【図面の簡単な説明】
【００１５】
【図１】本発明のキャップ付きフレームの一例であり、二本の枠材を横に倒した（開いた）状態の説明図。
【図２】本発明のキャップ付きフレームの一例であり、四本の枠材を起立させて中空枠にした状態の説明図。
【図３】（ａ）は連結具の一例を示す斜視図、（ｂ）は（ａ）の連結具に取付けた枠材を横に開いて展示物をセットする状態のＡ−Ａ断面図、（ｃ）は展示物を（ｂ）のようにセットしてから枠材を起立させた状態の端面図。
【図４】（ａ）は枠材の端部にキャップを取付ける場合の説明図、（ｂ）はキャップの裏面斜視図、（ｃ）は枠材の軸方向一端側の詳細斜視図。
【図５】枠材の軸方向端部にキャップを取付けた状態のコーナー部分の説明図。
【図６】図１の枠材が短寸であることを示すコーナー部分の斜視図。
【図７】（ａ）は従来の枠材の軸方向端部の斜視図、（ｂ）は枠材を横に開いて展示物をセットする状態の端面図、（ｃ）は展示物を（ｂ）のようにセットしてから枠材を起立させた状態の端面図。
【図８】従来のフレームの二本の枠材を開いた状態の説明図。
【発明を実施するための形態】
【００１６】
（キャップ付きフレームの実施形態）
本発明のフレーム１の一例として図１に示すものは、四本の細長棒状の枠材２が四つの連結具３に開閉（倒伏起立）可能に取り付けられた四角形の中空枠である。
【００１７】
四本の枠材２の各々は、図４（ｃ）に示すように、端面視円弧状の嵌合溝４と、端面視略コ字状の差し込み溝５と、支持部７を備えており、それら嵌合溝４と差し込み溝５と支持部７は各々の枠材２の軸方向に細長に形成されている。このような形状、構造の枠材２の各々の両端部にはキャップ８（図１）が取付けられている。
【００１８】
図１に示すように、連結具３はフレーム１のコーナー部分に四個配置されており、夫々の連結具３は同一形状及び構造であり、図３（ａ）に示すように平面視略三角形であり、円弧状の嵌合突条９を備え、これら嵌合突条９に受け凹部１０が形成されている。受け凹部１０は嵌合突条９の周方向に弧状に形成され、嵌合突条９の外周面よりも一段低く形成されている。この嵌合突条９の外周に、図３（ｂ）に示すように、枠材２の嵌合溝４が開閉可能、即ち、矢印Ｘ方向に開く(倒す)ことができ、矢印Ｙ方向に閉じる(起こす)ことができるように嵌合させることができ、前記受け凹部１０内に、枠材２の嵌合溝４の内側に押し出してある押し込み突起１１（図３（ｃ））が嵌合して、枠材２が嵌合突条９の軸方向に位置ずれしないようにしてある。
【００１９】
各々の枠材２の差し込み溝５は図３（ｃ）のように展示物６を差し込み可能な空間であり、枠材２の横幅方向内側に開口している。差し込み溝５は四本の枠材２を図２のように起立させて四角形の中空枠にすると四角形の中空枠状になり、その状態で、少なくとも一本の枠材２を図１のように外側に開くと、開いた箇所（開口部）から展示物６の周縁部６ａ（図３（ｂ））を差し込んで、図３（ｂ）、（ｃ）に示すように、枠材２の嵌合溝４の周壁１３の外周面（支持部）７の上に支持することができ、支持後に、枠材２を図３（ｃ）のように内側に閉じると、展示物６を四本の枠材２の内側にセットできるようにしてある。このセット状態で、少なくとも一本の枠材２を外側に開くと、開いた箇所（開口部）から展示物６を引き出すことができる。図１のように２本の枠材２を開くと展示物６の出し入れが特に容易になる。
【００２０】
各々の枠材２の嵌合溝４の周壁１３の軸方向両端側には係止凹部１２（図４（ｃ））が形成されている。この係止凹部１２は嵌合溝４の円弧状の周壁１３（図４（ｃ））の開口部側から周壁１３の頂部側に向けて細長に形成されている。
【００２１】
各々の枠材２の長さは、図６に示すように四角形のフレーム１の一片の長さよりも短くして（短寸にして）、枠材２の軸方向両端部がコーナーを形成する他の枠材２の軸方向端部と接合しないようにしてある。この枠材２の軸方向両端部にキャップ８（図６に仮想線で示す）を取付けると、そのキャップ８が枠材２の軸方向端部となって（端部を構成して）、二本の枠材２のキャップ８の先端面（接合面）８ａ同士が突き合わされて中空枠のコーナーが形成されるようにしてある。
【００２２】
（枠材用キャップの実施形態）
前記キャップ８は、図４（ａ）、（ｂ）に示すように、キャップ本体１５と第一嵌合片１６と第二嵌合片１７の二つの嵌合片が樹脂で一体に成型されており、第一嵌合片１６と第二嵌合片１７はキャップ本体１５から同じ方向に突設されている。第一嵌合片１６（図４（ａ）、（ｂ））を枠材２の嵌合溝４内に嵌め込み、第二嵌合片１７を枠材２の受け溝１８（図４（ａ）、（ｃ））内に嵌め込むと、キャップ本体１５が枠材２の軸方向に一連に連結されて枠材２の軸方向端部の一部を構成する。
【００２３】
第一嵌合片１６（図５）の外形は枠材２の嵌合溝４の内形と略同じ形状及びサイズにして嵌合溝４内にはめ込むことができ、第二嵌合片１７の外形は枠材２の差し込み溝５の内形と略同じ形状及びサイズにして受け溝１８内に嵌め込むことができるようにしてある。この場合、第一嵌合片１６と第二嵌合片１７の夫々は弾性を備えており、夫々、嵌合溝４、受け溝１８内に圧入すると前記弾性で自動的に復元して、夫々の外周面が嵌合溝４、受け溝１８の内面に圧接して図５のように枠材２に取付けられる。
【００２４】
前記キャップ８の第一嵌合片１６の先端には、図４（ａ）、（ｂ）に示すように係止突起１９（図４（ａ）、（ｂ））を設けてある。係止突起１９は第一嵌合片１６を嵌合溝４に圧入すると、嵌合溝４の周壁１３に形成されている係止凹部１２（図４（ｃ））に係止できるように、第一嵌合片１６から外側向きに突設されている。
【００２５】
前記キャップ８には、第一嵌合片１６が嵌合溝４内に、第二嵌合片１７が受け溝５内に必要以上に差し込まれないようにする（差し込み長を規制する）ストッパ２０（図４（ｂ））が形成されている。ストッパ２０はキャップ本体１５の肉厚を第一嵌合片１６及び第二嵌合片１６よりも肉厚に成型することにより、キャップ本体１５と第一嵌合片１６及び第二嵌合片１７の付け根部分（突出根元部分）に段差を設けて形成されている。
【００２６】
本発明における枠材２及び連結具３は、前記のように互いに開閉可能に取り付け可能であり、いずれか一本の枠材２を開くことにより展示物６を出し入れできれば、前記実施形態以外の構造、形状、寸法であってもよい。本発明におけるキャップ８は枠材２の軸方向端部を構成でき、枠材２の起立時に接合面同士が接合してフレームのコーナーを形成できれば、他の形状であってもよく、接合面も斜面ではなく、二本の枠材の起立時に両枠材でコーナーが形成されるように接合できれば、互いに嵌合できる凹凸構造とか、他の構造であってもよい。
【００２７】
前記実施形態は、嵌合片が第一嵌合片と、第二嵌合片の二つである、第一嵌合片が枠材の嵌合溝内に嵌め込まれ、第二嵌合片が枠材の受け溝内に嵌めこまれる場合であるが、嵌合片は一つであっても三以上であってもよく、それら嵌合片は枠材に設けた溝（嵌合溝、受け溝、嵌合片差し込み用に設けたその他の溝等）内に嵌め込んで、枠材に一連に取り付けるようにすることもできる。
【産業上の利用可能性】
【００２８】
本発明のフレームは、既存の額縁に変えて、各種展示物の額装に利用することができる。
【符号の説明】
【００２９】
１    フレーム
２    枠材
３    連結具
４    嵌合溝
５    差し込み溝
６    展示物
６ａ  （展示物の）周縁部
７    嵌合溝の周壁外周面（支持部）
８    キャップ
８ａ  接合面
９    （連結具の）嵌合突条
１０    受け凹部
１１    押し込み突起
１２    係止凹部
１３    嵌合溝の周壁
１５    キャップ本体
１６    嵌合片（第一嵌合片）
１７    嵌合片（第二嵌合片）
１８    受け溝
１９    係止突起
２０    ストッパ
Ａ    フレーム
Ｂ    連結具
Ｃ    枠材
Ｄ    展示物
Ｅ    受縁
Ｆ    支持溝
Ｇ    角部
【図１】
2014042580.tif 000003
【図２】
2014042580.tif 000004
【図３】
2014042580.tif 000005
【図４】
2014042580.tif 000006
【図５】
2014042580.tif 000007
【図６】
2014042580.tif 000008
【図７】
2014042580.tif 000009
【図８】
2014042580.tif 000010